(57)【要約】【課題】各種電子機器の入力操作部に用いられる導光シートおよびそれを用いた導光シート付き可動接点体に関し、導光シートにおいて上方に向けて散乱反射される光量が増すように構成されて上方を明るく照光できるものを提供する。【解決手段】導光シート３１において、フィルム基材１５の下面位置に第一凹凸領域部３８Ａが設けられると共に、その第一凹凸領域部３８Ａに対して上下で対向するようにフィルム基材１５の上面位置に、上記第一凹凸領域部３８Ａに対向する第二凹凸領域部３８Ｂを設けた構成とした。また、この導光シート３１を用いて、上下で対向状態に設けられた上記第一および第二凹凸領域部３８Ａおよび３８Ｂに対応する下方位置に可動接点４を備えさせ、導光シート３１付き可動接点体９を構成した。【選択図】図１
2013073793.tif 000002
【特許請求の範囲】
【請求項１】
フィルム基材に入射された光をフィルム基材内で導光させていき、その伝播する光を凹凸領域部で散乱反射させて上方位置を照光する導光シートであって、上記フィルム基材の一方の表面位置に第一凹凸領域部が設けられると共に、その第一凹凸領域部に対して上下で対向するように上記フィルム基材の他方の表面位置に第二凹凸領域部を設けた構成とした導光シート。
【請求項２】
請求項１記載の導光シートが用いられ、上下で対向状態に設けられている第一および第二凹凸領域部の下方位置に上方凸形でドーム状の可動接点が配されて構成された導光シート付き可動接点体。
【請求項３】
請求項２記載の導光シート付き可動接点体において、複数の可動接点を有した構成とされると共に、光源に近い可動接点の配置位置上の導光シート位置には、第一および第二凹凸領域部のいずれか一方のみが設けられた構成とされた導光シート付き可動接点体。
【発明の詳細な説明】
【技術分野】
【０００１】
本発明は、各種電子機器の入力操作部に用いられる導光シートおよびそれを用いた導光シート付き可動接点体に関するものである。
【背景技術】
【０００２】
近年、携帯電話などの各種電子機器は、夜間などにも所定操作が良好に行えるように入力操作部などが照光される機能を備えたものが増えている。そして、その照光手段としても、フィルム基材に入射された光がフィルム基材内で導光され、その伝播する光が凹凸領域部で上方に向けて散乱反射されることによって凹凸領域部上の位置を照光する導光シートを用いた構成のものが多くなっている。
【０００３】
以下に、図４〜図６を用いて、従来の導光シート付き可動接点体やそれを用いて構成された照光機能付き入力操作部について説明する。
【０００４】
図４は従来の導光シート付き可動接点体の断面図、図５は同導光シート付き可動接点体を用いて構成された照光機能付き入力操作部の断面図、図６は同導光シート付き可動接点体とＬＥＤとの配置状態を示す上面図である。
【０００５】
同図において、１は可撓性を有する絶縁フィルム製のベースシートであり、その下面に形成された粘着層２によって、上方凸形でドーム状に形成された弾性薄板金属製の可動接点４を所定箇所に保持している。また、ベースシート１の下面には、粘着層２を介して、貫通孔部が設けられたＰＥＴなどの絶縁フィルムからなるスペーサシート６が重ねて貼り合わせられており、可動接点４は対応する貫通孔部内に位置されている。スペーサシート６の下面には、装着用の粘着層７が形成されている。これらで、可動接点体９が構成されている。
【０００６】
この可動接点体９上には、導光シート１０が配されている。導光シート１０は、周囲位置で粘着層１２を介してベースシート１上に固定されている。
【０００７】
導光シート１０は、光透過性を有するＴＰＵ樹脂などの絶縁フィルム製で可撓性を有したフィルム基材１５と、その下面の所定箇所に構成された凹凸領域部１８とから構成されており、凹凸領域部１８は、可動接点４の配置位置に合わせて設けられている。なお、その凹凸領域部１８は、小突起１７が点在した集合状態に印刷形成されて構成されたものとなっている。
【０００８】
上記導光シート１０付き可動接点体９は、図５に示すように、対応する配線基板２０上にスペーサシート６下面の粘着層７で貼り付け装着されて搭載される。
【０００９】
配線基板２０は、可動接点４位置に対応する上面箇所に外側接点２２と中央接点２３とからなる固定接点を有しており、上記導光シート１０付きの可動接点体９は、可動接点４の外周下端が、対応する外側接点２２上に載せられるようにして配線基板２０上に貼り付けられている。
【００１０】
また、配線基板２０にはＬＥＤ２５が実装されており、そのＬＥＤ２５の発光面に対してフィルム基材１５の側端面位置が近接した対向状態とされている（図５、図６参照）。
【００１１】
そして、２７は、上下方向に光を透過させる透光部（図示せず）を備えた操作ボタンで、可動接点４の配置位置に対応する導光シート１０上の位置に上下動可能に配されている。以上のように、従来の導光シート１０付き可動接点体９を用いて照光機能付き入力操作部が構成されている。
【００１２】
この照光機能付き入力操作部の動作は、操作ボタン２７を押し下げ操作すると、操作ボタン２７が下方に移動していき、導光シート１０およびベースシート１を介して可動接点４に押圧力が加わる。その力が所定の大きさを超えると、可動接点４の中央部が節度を持って反転動作して、その中央部下面が中央接点２３に接触する。これによって、外側接点２２と中央接点２３とが導通したスイッチオン状態になる。上記押圧力を除くと、可動接点４が元の上方凸形に自己復元して、可動接点４の中央部下面が中央接点２３から離れた元のスイッチオフ状態に戻る。
【００１３】
ＬＥＤ２５が発光すると、その光が、ＬＥＤ２５の発光面に対向するフィルム基材１５の側端面位置からフィルム基材１５内に入射されてフィルム基材１５内で導光されていく。そして、その伝播する光が、凹凸領域部１８で上方に向けて散乱反射され、その上方位置に配された操作ボタン２７の透光部が照光されるものであった。
【００１４】
なお、この出願の発明に関連する先行技術文献情報としては、例えば、特許文献１が知られている。
【先行技術文献】
【特許文献】
【００１５】
【特許文献１】特開２０１１−２９１５６号公報
【発明の概要】
【発明が解決しようとする課題】
【００１６】
上記従来の導光シート１０付き可動接点体９を用いて構成された照光機能付き入力操作部では、操作ボタン２７の透光部が明るく光るものを求められることが多い。それを実現するために、導光シート１０付き可動接点体９を生産する部品メーカとしては、機器側で決定されたＬＥＤ２５の配置位置や使用個数の中で、導光シート１０の小突起１７の配設状態を調整し、凹凸領域部１８での上方に向く光量を多くするように対応していたが、それにも限界があり、従来の導光シート１０の構成に対して更なる改良が必要であった。
【００１７】
本発明はこのような課題を解決するものであり、導光シートにおいて上方に向けて散乱反射される光量が増す構成とされ、上方が明るく照光される導光シートおよびそれを用いた導光シート付き可動接点体を提供することを目的とする。
【課題を解決するための手段】
【００１８】
上記目的を達成するために本発明は、以下の構成を有するものである。
【００１９】
請求項１に記載の発明は、フィルム基材に入射された光をフィルム基材内で導光させていき、その伝播する光を凹凸領域部で散乱反射させて上方位置を照光する導光シートであって、上記フィルム基材の一方の表面位置に第一凹凸領域部が設けられると共に、その第一凹凸領域部に対して上下で対向するように上記フィルム基材の他方の表面位置に第二凹凸領域部を設けた構成とした導光シートとしたものである。
【００２０】
当該構成であれば、第一および第二凹凸領域部を上下で対向する位置関係に配した構成であるため、それらの凹凸領域部の配設位置においては、従来品より多くの光が上方に向けて散乱反射されるものにでき、上方への照光状態が明るいものを容易に得ることができるという作用を有する。
【００２１】
請求項２に記載の発明は、請求項１記載の導光シートが用いられ、上下で対向状態に設けられている第一および第二凹凸領域部の下方位置に上方凸形でドーム状の可動接点が配されて構成された導光シート付き可動接点体としたものであり、可動接点上の位置が明るく照光される構成の導光シート付き可動接点体を得ることができるという作用を有する。
【００２２】
請求項３に記載の発明は、請求項２記載の導光シート付き可動接点体において、複数の可動接点を有した構成とされると共に、光源に近い可動接点の配置位置上の導光シート位置には、第一および第二凹凸領域部のいずれか一方のみが設けられた構成とされた導光シート付き可動接点体としたものであり、複数の可動接点上の位置の照光状態の差が少ないものに構成できるという作用を有する。
【発明の効果】
【００２３】
以上のように本発明によれば、導光シートにおいて上方に向けて散乱反射される光量が増す構成とされ、上方が明るく照光される導光シートおよびそれを用いた導光シート付き可動接点体を提供できるという有利な効果が得られる。
【図面の簡単な説明】
【００２４】
【図１】本発明の一実施の形態による導光シート付き可動接点体の断面図
【図２】同導光シート付き可動接点体を用いて構成された照光機能付き入力操作部の断面図
【図３】同導光シート付き可動接点体とＬＥＤとの配置状態を示す上面図
【図４】従来の導光シート付き可動接点体の断面図
【図５】同導光シート付き可動接点体を用いて構成された照光機能付き入力操作部の断面図
【図６】同導光シート付き可動接点体とＬＥＤとの配置状態を示す上面図
【発明を実施するための形態】
【００２５】
以下、本発明の実施の形態について、図１〜図３を用いて説明する。なお、従来の技術の項で説明した構成と同一構成の部分には同一符号を付して、詳細な説明を簡略化する。
【００２６】
（実施の形態）
図１は本発明の一実施の形態による導光シート付き可動接点体の断面図、図２は同導光シート付き可動接点体を用いて構成された照光機能付き入力操作部の断面図、図３は同導光シート付き可動接点体とＬＥＤとの配置状態を示す上面図である。
【００２７】
当該実施の形態によるものは、図１〜図３からも判るように、導光シート３１が従来のものと異なっており、可動接点体９の構成や、照光機能付き入力操作部の配線基板２０、操作ボタン２７などの構成は従来と同じである。
【００２８】
まず、導光シート３１について説明すると、導光シート３１は、光透過性を有するＴＰＵ樹脂などの絶縁フィルム製で可撓性を有したフィルム基材１５と、その下面の所定箇所に構成された第一凹凸領域部３８Ａと、第一凹凸領域部３８Ａに上下で対向する位置関係になるように、上記フィルム基材１５の上面位置に設けられた第二凹凸領域部３８Ｂとを有した構成となっている。なお、各凹凸領域部３８Ａ、３８Ｂは従来同様に小突起１７が点在した集合状態に印刷形成されて構成されている。
【００２９】
そして、この導光シート３１は、従来同様に周囲位置で粘着層１２を介して可動接点体９のベースシート１上に固定されている。これらで本実施の形態による導光シート３１付き可動接点体９が構成されている。
【００３０】
なお、上述したように可動接点体９は従来と同じ構成であり、簡単に説明すると、ベースシート１下面の粘着層２にスペーサシート６が下面側から重ねて貼り合わせられると共に、上記粘着層２でベースシート１に保持された可動接点４が、スペーサシート６の対応する貫通孔部内に位置された構成となっている。
【００３１】
次に、この導光シート３１付き可動接点体９を用いて構成した照光機能付き入力操作部について説明する。
【００３２】
導光シート３１付き可動接点体９は、図２に示すように、対応する配線基板２０上にスペーサシート６下面の粘着層７で貼り付け装着されていると共に、可動接点４の外周下端は、対応する外側接点２２上に載せられている。また、配線基板２０に実装されたＬＥＤ２５の発光面は、図２および図３に示したように、導光シート３１に対してフィルム基材１５の側端面位置に近接して対向しており、その側端面位置が導光シート３１への光の入射箇所となっている。
【００３３】
可動接点４の配置位置に対応する導光シート３１上の位置には、上下方向に光を透過させる透光部（図示せず）を備えた操作ボタン２７が上下動可能に配され、これらで照光機能付き入力操作部が構成されている。
【００３４】
当該照光機能付き入力操作部の動作は、操作ボタン２７を押し下げ操作すると、従来同様に操作ボタン２７が下方に移動していき、導光シート３１およびベースシート１を介して可動接点４に押圧力が加わり、その力が所定の大きさを超えると、可動接点４の中央部が節度を持って反転動作して、その中央部下面が中央接点２３に接触する。これによって、外側接点２２と中央接点２３とが導通したスイッチオン状態になる。上記押圧力を除くと、可動接点４が元の上方凸形に自己復元して、可動接点４の中央部下面が中央接点２３から離れた元のスイッチオフ状態に戻る。
【００３５】
ＬＥＤ２５が発光すると、その光は、ＬＥＤ２５の発光面に対向するフィルム基材１５の側端面位置からフィルム基材１５内に入射されてフィルム基材１５内で導光されていく。そして、その伝播する光は、各凹凸領域部３８Ａ、３８Ｂで上方に向けて散乱反射されて上方位置に配された操作ボタン２７の透光部が照光される。
【００３６】
ここに、当該構成の導光シート３１では、可動接点４の配置位置に対応する導光シート３１位置に、上下で対向する位置関係に二つの凹凸領域部３８Ａ、３８Ｂを配設したものとしている。このため、フィルム基材１５内で導光されていく光は、第一凹凸領域部３８Ａおよび第二凹凸領域部３８Ｂで、共に上方に向けて散乱反射されるようになって、従来品よりも上方に向けて散乱反射される光量が増加し、上方への照光状態が明るいものに簡素な構成で実現することができる。つまり、当該構成であれば、可動接点４上に配された操作ボタン２７が従来品よりも明るく照光されるものに実現することができる。
【００３７】
なお、第一凹凸領域部３８Ａと第二凹凸領域部３８Ｂとを上下で対向するように配設する位置は適宜設定されていてもよい。例えば、光源となるＬＥＤ２５に近い位置では第一凹凸領域部３８Ａのみまたは第二凹凸領域部３８Ｂのみとし、ＬＥＤ２５から遠い位置では第一凹凸領域部３８Ａと第二凹凸領域部３８Ｂとの両者を上下で対向状態に設けたものとして、ＬＥＤ２５から遠くて暗くなりやすい位置の上方への光量を補填させる構成などとされていてもよい。この場合には、複数の可動接点４上の位置の照光状態の差が少ないものに容易に構成できるという作用効果が得られる。
【００３８】
なお、上記には、導光シート３１の第一凹凸領域部３８Ａや第二凹凸領域部３８Ｂが、フィルム基材１５の表面に設けられた小突起１７よりなる構成のもので説明したが、フィルム基材の表面をレーザ加工や金型などで粗らすことによって凹凸領域部に形成された形態などであってもよい。また、製造上の都合などで、一方の表面には小突起１７よりなる構成のものが設けられ、他方の表面にはレーザ加工や金型などで粗らされている構成のものとされるなどとされていてもよい。
【００３９】
また、本発明による導光シート３１は、可動接点体９に装着する以外に、単体で使用されたり、可動接点体９以外に装着されて使用されていてもよい。さらに、可動接点体９としても一つのみの可動接点４を有するもの等であってもよい。また、可動接点体９の構成については上記構成のもののみに限定されることはなく、操作ボタン２７や配線基板２０などについても、上述説明したものに限定されることはない。
【産業上の利用可能性】
【００４０】
本発明による導光シートおよびそれを用いた導光シート付き可動接点体は、導光シートにおいて上方に向けて散乱反射される光量が増す構成とされ、上方が明るく照光されるものを提供することができるという有利な効果を有し、各種電子機器の入力操作部を構成する際などに有用である。
【符号の説明】
【００４１】
１  ベースシート
２、７、１２  粘着層
４  可動接点
６  スペーサシート
９  可動接点体
１５  フィルム基材
１７  小突起
２０  配線基板
２２  外側接点
２３  中央接点
２５  ＬＥＤ
２７  操作ボタン
３１  導光シート
３８Ａ  第一凹凸領域部
３８Ｂ  第二凹凸領域部
【図１】
2013073793.tif 000003
【図２】
2013073793.tif 000004
【図３】
2013073793.tif 000005
【図４】
2013073793.tif 000006
【図５】
2013073793.tif 000007
【図６】
2013073793.tif 000008